(57)【要約】      （修正有）【課題】画面の一部の表示領域に表示される画像が見易い画像出力装置を提供する。【解決手段】画像を表示可能な表示可能領域内における画像を表示する領域である表示領域の表示位置を指示するための情報である表示位置指示情報を受け付ける表示位置指示情報受付部１０１と、表示位置指示情報に基づいて表示領域の表示位置を示す情報である表示位置情報を取得する表示位置情報取得部１０２と、表示領域に表示する画像の情報である表示情報を取得する表示情報取得部１０３と、表示領域の大きさに関する情報である表示領域情報を取得する表示領域情報取得部１０４と、表示位置情報と、表示情報と、表示領域情報とに基づいて表示領域の画像を構成する表示領域画像構成部１０５と、前記表示領域の画像を出力する出力部１０７とを備えた。【選択図】図１
2006330027.tif 000002
【特許請求の範囲】
【請求項１】
画像を表示可能な表示可能領域内における画像を表示する領域である表示領域の表示位置を指示するための情報である表示位置指示情報を受け付ける表示位置指示情報受付部と、
前記表示位置指示情報に基づいて表示領域の表示位置を示す情報である表示位置情報を取得する表示位置情報取得部と、
前記表示領域に表示する画像の情報である表示情報を取得する表示情報取得部と、
前記表示位置情報と、表示情報とに基づいて表示領域の画像を構成する表示領域画像構成部と、
前記表示領域の画像を出力する出力部とを備えた画像出力装置。
【請求項２】
前記表示領域の大きさに関する情報である表示領域情報を取得する表示領域情報取得部を、さらに備え、
前記表示領域画像構成部は、前記表示位置情報と、表示情報と、表示領域情報とに基づいて表示領域の画像を構成する請求項１記載の画像出力装置。
【請求項３】
前記表示可能領域内の前記表示領域を除いた領域に表示する有意ではない画像である背景画像を構成する背景画像構成部をさらに備え、
前記出力部は、前記表示領域の画像と前記背景画像とを出力する請求項１または請求項２いずれか記載の画像出力装置。
【請求項４】
前記表示位置指示情報受付部は、リモートコントロール装置からの、前記表示位置指示情報を受け付け、
前記表示位置指示情報に基づいて、前記表示可能領域内で前記表示領域が移動する請求項１から請求項３いずれか記載の画像出力装置。
【請求項５】
前記表示位置指示情報受付部は、２つ以上の表示領域の表示位置指示情報を受け付け、
前記表示情報取得部は、２つ以上の表示領域に表示する映像の情報である表示情報を取得し、
前記表示領域情報取得部は、２つ以上の表示領域の大きさに関する情報である表示領域情報を取得し、
前記表示領域画像構成部は、２つ以上の表示領域の画像を構成し、
前記出力部は、２つ以上の表示領域の画像を出力する請求項１から請求項４いずれか記載の画像出力装置。
【請求項６】
前記表示領域画像構成部は、前記表示位置指示情報と、表示領域情報とに基づいて、２つ以上の表示領域が重ならないように、画像を構成する請求項５記載の画像出力装置。
【請求項７】
前記出力部は表示手段を備えており、当該表示手段の表示可能領域の大きさは６０インチ以上である請求項１から請求項６記載いずれか記載の画像出力装置。
【請求項８】
請求項１から請求項７いずれか記載の画像出力装置と、リモートコントロール装置とを備えた画像出力システムであって、
前記リモートコントロール装置は、
操作を行うための領域である操作領域を有し、前記操作領域上の操作した位置に関する情報である操作位置情報を出力し、前記操作領域内の操作した位置に、前記表示領域の位置を示す画像を表示するタッチスクリーンと、
前記タッチスクリーンの出力する操作位置情報に基づいて前記表示位置指示情報を構成し、前記画像出力装置に送信する送信部とを具備する画像出力システム。
【請求項９】
前記タッチスクリーンの操作領域上の位置は、前記画像出力装置の表示可能領域上の位置と対応関係を有しており、
前記表示位置情報取得部は、前記タッチスクリーンの操作領域に対して行われた操作の位置に対応した表示可能領域上の位置を指定する表示位置情報を取得する請求項８記載の画像出力システム。
【請求項１０】
前記タッチスクリーンは、前記表示領域の位置を示す画像として、前記表示領域に表示される画像に関するサムネイル画像を表示する請求項８または請求項９いずれか記載の画像出力システム。
【請求項１１】
前記タッチスクリーンは、前記表示領域の位置を示す画像として、前記表示領域に対応した大きさの画像を表示する請求項８から請求項１０いずれか記載の画像出力システム。
【請求項１２】
請求項８から請求項１１いずれか記載の画像出力システムを構成するリモートコントロール装置。
【請求項１３】
画像を表示可能な表示可能領域内における画像を表示する領域である表示領域の表示位置を指示するための情報である表示位置指示情報を受け付ける表示位置指示情報受付部と、
前記表示可能領域内の、前記表示位置指示情報に基づいた位置に前記表示領域の画像を表示するための出力を行う出力部とを備えた画像出力装置。
【請求項１４】
前記表示可能領域内の前記表示領域を除いた領域に表示する有意ではない画像である背景画像を構成する背景画像構成部をさらに備え、
前記出力部は、前記表示領域の画像と前記背景画像とを出力する請求項１３記載の画像出力装置。
【請求項１５】
請求項１３または請求項１４のいずれか記載の画像出力装置と、リモートコントロール装置とを備えた画像出力システムであって、
前記リモートコントロール装置は、
操作を行うための領域である操作領域を有し、前記操作領域上の操作した位置に関する情報である操作位置情報を出力し、前記操作領域内の操作した位置に、前記表示領域の位置を示す画像を表示するタッチスクリーンと、
前記タッチスクリーンの出力する操作位置情報に基づいた前記表示位置指示情報を前記画像出力装置に送信する送信部とを具備する画像出力システム。
【請求項１６】
コンピュータに、
画像を表示可能な表示可能領域内における画像を表示する領域である表示領域の表示位置を指示するための情報である表示位置指示情報を受け付ける表示位置指示情報受付ステップと、
前記表示位置指示情報に基づいて表示領域の表示位置を示す情報である表示位置情報を取得する表示位置情報取得ステップと、
前記表示領域に表示する画像の情報である表示情報を取得する表示情報取得ステップと、
前記表示位置情報と、表示情報とに基づいて表示領域の画像を構成する表示領域画像構成ステップと、
前記表示領域の画像を出力する出力ステップとを実行させるためのプログラム。
【請求項１７】
コンピュータに、
前記表示領域の大きさに関する情報である表示領域情報を取得する表示領域情報取得ステップをさらに実行させ、
前記表示領域画像構成ステップは、前記表示位置情報と、表示情報と、表示領域情報とに基づいて表示領域の画像を構成する請求項１６記載のプログラム。
【請求項１８】
コンピュータに、
前記表示可能領域内の前記表示領域を除いた領域に表示する有意ではない画像である背景画像を構成する背景画像構成ステップをさらに実行させ、
前記出力ステップは、前記表示領域の画像と前記背景画像とを出力する請求項１６または請求項１７いずれか記載のプログラム。
【請求項１９】
前記表示位置指示情報受付ステップは、２つ以上の表示領域の表示位置指示情報を受け付け、
前記表示情報取得ステップは、２つ以上の表示領域に表示する映像の情報である表示情報を取得し、
前記表示領域情報取得ステップは、２つ以上の表示領域の大きさに関する情報である表示領域情報を取得し、
前記表示領域画像構成ステップは、２つ以上の表示領域の画像を構成し、
前記出力ステップは、２つ以上の表示領域の画像を出力する請求項１６から請求項１８いずれか記載のプログラム。
【請求項２０】
前記表示領域画像構成ステップは、前記表示位置指示情報と、表示領域情報とに基づいて、２つ以上の表示領域が重ならないように、画像を構成する請求項１９記載のプログラム。
【請求項２１】
タッチスクリーンを備えたリモートコントロール装置に処理を実行させるためのプログラムであって、
コンピュータに、
前記タッチスクリーンの操作を行うための領域である操作領域上の操作した位置に関する情報である操作位置情報を出力し、前記操作領域内の操作した位置に、前記表示領域の位置を示す画像を表示するタッチスクリーンステップと、
前記タッチスクリーンステップにより出力する操作位置情報に基づいて、画像を表示可能な表示可能領域内における画像を表示する領域である表示領域の表示位置を指示するための情報である表示位置指示情報を送信する送信ステップとを実行させるためのプログラム。
【請求項２２】
前記タッチスクリーンの操作領域上の位置は、前記表示可能領域上の位置と対応関係を有しており、
前記表示位置情報取得ステップは、前記タッチスクリーンの操作領域に対して行われた操作の位置に対応した表示可能領域上の位置を指定する表示位置情報を取得する請求項２１記載のプログラム。
【請求項２３】
前記タッチスクリーンステップは、前記表示領域の位置を示す画像として、前記表示領域に表示される画像に関するサムネイル画像を表示する請求項２０または請求項２１いずれか記載のプログラム。
【請求項２４】
前記タッチスクリーンステップは、前記表示領域の位置を示す画像として、前記表示領域に対応した大きさの画像を表示する請求項２１から請求項２３いずれか記載のプログラム。
【発明の詳細な説明】
【技術分野】
【０００１】
本発明は、ディスプレイの一部の領域のみに画像を表示する画像出力装置等に関するものである。
【背景技術】
【０００２】
近年、テレビやプロジェクター等の画像出力装置においては、画像を表示するディスプレイの大型化が図られており、例えば、対角の長さが６０インチを超える大きさのものもある。このような大型の画像出力装置を利用することで、一般家庭においても、いわゆるホームシアターが、実現可能となってきている。
【０００３】
このような大型の画像出力装置としては、出力する画像をディスプレイ全面に画像を表示するか、ディスプレイの一部の領域のみに表示するかを切り替えられるものがある（例えば特許文献１参照）。この画像出力装置においては、画像を大画面全体に表示するのではなく、大画面の一部の領域に、首を振らずに眼球を動かすだけで画面全体を見ることができる適度のサイズ、例えば視野角で２０度以下の大きさで表示することが可能となっている。このため、ユーザは、画像が高精細画像であるか標準画像であるかといった画像の質や、画像の表示内容が情報伝達を主とするものであるか否か等の画像の内容に応じて、大画面内における画像の表示サイズを切り替えることが可能となる。
【特許文献１】特開２００３−０５８１０１号公報（第１頁、第１図等）
【発明の開示】
【発明が解決しようとする課題】
【０００４】
しかしながら、従来の画像出力装置、特に、対角の長さが６０インチ以上のディスプレイを有する画像出力装置においては、画面全体に画像を表示せずに、画面の一部のみに画像を表示する場合、画面全体が大きいことから、画像が表示される位置とユーザの視聴する位置との関係によっては、表示される画像が見にくい場合がある、という課題があった。
【０００５】
例えば、ユーザが画面の一方の端の近くに座っており、画像が画面の他端の付近に表示された場合、ユーザから画像を見ることは非常に困難であった。このため、ユーザは、画面全体を見渡せる位置に移動するか、表示されている画像の近くに移動する必要があった。
【課題を解決するための手段】
【０００６】
本発明の画像出力装置は、画像を表示可能な表示可能領域内における画像を表示する領域である表示領域の表示位置を指示するための情報である表示位置指示情報を受け付ける表示位置指示情報受付部と、前記表示位置指示情報に基づいて表示領域の表示位置を示す情報である表示位置情報を取得する表示位置情報取得部と、前記表示領域に表示する画像の情報である表示情報を取得する表示情報取得部と、前記表示位置情報と、表示情報とに基づいて表示領域の画像を構成する表示領域画像構成部と、前記表示領域の画像を出力する出力部とを備えた画像出力装置である。
【０００７】
かかる構成により、表示可能領域内の一部の領域に表示される画像の表示領域を、移動させることができる。これにより表示領域を見やすい位置に移動させることが可能となり、画面の一部に表示される画像が見やすい画像出力装置を提供できる効果がある。
【０００８】
また、本発明の画像出力装置は、前記画像出力装置において、前記表示領域の大きさに関する情報である表示領域情報を取得する表示領域情報取得部を、さらに備え、前記表示領域画像構成部は、前記表示位置情報と、表示情報と、表示領域情報とに基づいて表示領域の画像を構成する画像出力装置である。
【０００９】
かかる構成により、画像の表示領域の大きさを変更させた場合においても、表示可能領域内の一部の領域に表示される画像の表示領域を、移動させることができる。これにより、画像の表示領域の大きさにかかわらず、表示領域を見やすい位置に移動させることが可能となり、画面の一部に表示される画像が見やすい画像出力装置を提供できる効果がある。
【００１０】
また、本発明の画像出力装置は、前記画像出力装置において、前記表示可能領域内の前記表示領域を除いた領域に表示する有意ではない画像である背景画像を構成する背景画像構成部をさらに備え、前記出力部は、前記表示領域の画像と前記背景画像とを出力する画像出力装置である。
【００１１】
かかる構成により、ユーザが映像を見る際に、不要な画像が視界に入らず、映像に集中することが可能となる。また、背景画像を表示する処理を、最小限の処理として、表示領域を動かす際の処理の増加による表示の乱れを防ぐことができる。
【００１２】
また、本発明の画像出力装置は、前記画像出力装置において、前記表示位置指示情報受付部は、２つ以上の表示領域の表示位置指示情報を受け付け、前記表示情報取得部は、２つ以上の表示領域に表示する映像の情報である表示情報を取得し、前記表示領域情報取得部は、２つ以上の表示領域の大きさに関する情報である表示領域情報を取得し、前記表示領域画像構成部は、２つ以上の表示領域の画像を構成し、前記出力部は、２つ以上の表示領域の画像を出力する画像出力装置である。
【００１３】
かかる構成により、表示可能領域内の自由な位置に、異なる画像を表示することが可能となる。
【００１４】
また、本発明の画像出力装置は、前記画像出力装置において、前記表示領域画像構成部は、前記表示位置指示情報と、表示領域情報とに基づいて、２つ以上の表示領域が重ならないように、画像を構成する画像出力装置である。
【００１５】
かかる構成により、一つの画像を移動させる場合等に、移動中の画像により他の画像の視聴を妨げないようにすることができる。
【００１６】
また、本発明の画像出力システムは、前記画像出力装置と、リモートコントロール装置とを備えた画像出力システムであって、前記リモートコントロール装置は、操作を行うための領域である操作領域を有し、前記操作領域上の操作した位置に関する情報である操作位置情報を出力し、前記操作領域内の操作した位置に、前記表示領域の位置を示す画像を表示するタッチスクリーンと、前記タッチスクリーンの出力する操作位置情報に基づいて構成される前記表示位置指示情報を、前記画像出力装置に送信する送信部とを具備する画像出力システムである。
【００１７】
かかる構成により、ディスプレイを見ずに、タッチスクリーンを見ながら、表示領域位置を正確に移動させることが可能となる。また、タッチスクリーンを見ることで、表示領域の、表示可能領域内における相対的な表示位置を知ることができる。
【００１８】
また、本発明の画像出力システムは、前記画像出力システムにおいて、前記タッチスクリーンの操作領域上の位置は、前記画像出力装置の表示可能領域上の位置と対応関係を有しており、前記表示位置情報取得部は、前記タッチスクリーンの操作領域に対して行われた操作の位置に対応した表示可能領域上の位置を指定する表示位置情報を取得する画像出力システムである。
【００１９】
かかる構成により、ディスプレイを見ずに、タッチスクリーンを見ながら、表示領域位置を正確に移動させることが可能となる。
【００２０】
また、本発明の画像出力システムは、前記画像出力システムにおいて、前記タッチスクリーンは、前記表示領域の位置を示す画像として、前記表示領域に表示される画像に関するサムネイル画像を表示する画像出力システムである。
【００２１】
かかる構成により、タッチスクリーンにおいて、表示領域を識別しやすくなり、また、表示領域の位置を確認しやすくすることができる。
【００２２】
また、本発明の画像出力システムは、前記画像出力システムにおいて、前記タッチスクリーンは、前記表示領域の位置を示す画像として、前記表示領域に対応した大きさの画像を表示する画像出力システムである。
【００２３】
かかる構成により、タッチスクリーンにおいて、表示領域の配置を正確に把握することが可能となる。
【発明の効果】
【００２４】
本発明による画像出力装置によれば、画面の一部に表示される画像が見やすい画像出力装置を提供することが可能となる。
【発明を実施するための最良の形態】
【００２５】
以下、画像出力装置等の実施形態について図面を参照して説明する。なお、実施の形態において同じ符号を付した構成要素は同様の動作を行うので、再度の説明を省略する場合がある。
【００２６】
図１は、本実施の形態における画像出力システムのブロック図である。画像出力システムは、画像出力装置１００と、リモートコントロール装置２００とを備えている。
【００２７】
画像出力装置１００は、表示位置指示情報受付部１０１と、表示位置情報取得部１０２と、表示情報取得部１０３と、表示領域情報取得部１０４と、表示領域画像構成部１０５と、背景画像構成部１０６と、出力部１０７とを備えている。
【００２８】
リモートコントロール装置２００は、タッチスクリーン２０１と、送信部２０２とを備えている。
【００２９】
表示位置指示情報受付部１０１は、画像を表示可能な表示可能領域内における画像を表示する領域である表示領域の表示位置を指示するための情報である表示位置指示情報を受け付ける。画像は、動画像であっても、静止画像であってもよい。また、解像度等は問わない。表示可能領域とは、画像出力装置１００の出力によって、画像を表示可能な領域であり、具体的には、ディスプレイ等の表示部の画像を表示可能な全領域である。表示可能領域の形状は、通常は矩形であるが、円形、楕円形、角の丸い矩形等、形状は問わない。表示格納領域の形状が矩形である場合、その縦横比は、例えば、一般的なテレビの表示領域の縦横比である３：４や、９：１６とする。表示領域とは、ここでは、画像表示領域内の実際に画像を表示する領域である。この表示領域は、画像表示領域内の一部であってもよいし、全領域であってもよい。表示領域の形状は、通常は矩形であるが、円形、楕円形、角の丸い矩形等、形状は問わない。表示領域の形状が矩形である場合、その縦横比は、例えば、一般的なテレビの表示領域の縦横比である３：４や、９：１６とする。表示位置指示情報は、表示可能領域内における表示領域が表示される位置を指定できる情報であれば、どのような情報であってもよい。例えば、表示可能領域内の座標の情報であってもよい。また、表示可能領域を予め複数の領域に分割しておき、各領域に識別番号等を振っておくようにし、その識別番号を指示する情報を表示位置指示情報として受け付けてもよい。また、表示位置指示情報は、指定した位置への表示領域の表示を指示するコマンド等を含むようにしてもよい。本実施の形態は、この表示位置指示情報を変更することで、表示領域の表示位置を表示可能領域内において移動可能とするものである。表示位置指示情報のデータ構造は問わない。表示位置指示情報受付部１０１の受け付ける入力は、リモートコントロール装置や、画像出力装置１００に設けられたスイッチ等、接触型または非接触型ＩＣ(Integrated circuit)カード、無線または有線のＩＲ(infra red)や、他の情報処理端末からの入力や、他の機器からの有線や無線の通信による入力等であり、入力手段はどのようなものであってもよい。受付部は、ＭＰＵ(micro processing unit)及びメモリや、ＩＣカードリーダ、ＩＲタグリーダ、有線や無線通信の受信機等で実現され得る。
【００３０】
表示位置情報取得部１０２は、表示位置指示情報に基づいて表示領域の表示位置を示す情報である表示位置情報を取得する。具体的には、表示位置情報取得部１０２は、表示位置指示情報に含まれる座標の情報を取得してもよいし、表示位置指示情報に含まれる、表示可能領域を分割した領域の一つを指定する識別情報を取得してもよい。また、表示位置情報取得部１０２は、表示位置指示情報に含まれる座標の情報を所定の関数を用いて座標変換して得られる座標の情報を取得してもよい。表示位置情報のデータ構造は問わない。表示位置情報取得部１０２は、通常、ＭＰＵやメモリ等から実現され得る。表示位置情報取得部１０２が表示位置情報を取得するための処理手順は、通常、ソフトウェアで実現され、当該ソフトウェアはＲＯＭ等の記録媒体に記録されている。但し、ハードウェア（専用回路）で実現しても良い。
【００３１】
表示情報取得部１０３は、表示領域に表示する画像の情報である表示情報を取得する。表示情報取得部１０３がどのように表示情報を取得するかは問わない。例えば、表示情報取得部１０３は、画像出力装置１００がテレビであれば、表示情報であるテレビ番組をテレビ放送を受信するチューナー等から取得する。また、表示情報取得部１０３は、画像出力装置１００がＤＶＤプレーヤーであれば、ＤＶＤディスクからピックアップ等により読み出された表示情報であるコンテンツを取得する。また、表示情報取得部１０３は、画像出力装置１００がインターネットの情報を表示可能なインターネット接続されたテレビであれば、インターネット経由で表示情報を取得する。表示情報取得部１０３は、通常、ＭＰＵやメモリ等から実現され得る。表示情報取得部１０３が表示情報を取得するための処理手順は、通常、ソフトウェアで実現され、当該ソフトウェアはＲＯＭ等の記録媒体に記録されている。但し、ハードウェア（専用回路）で実現しても良い。
【００３２】
表示領域情報取得部１０４は、表示領域の大きさに関する情報である表示領域情報を取得する。表示領域情報は、例えば、表示領域の縦および横の長さや、表示領域の縦または横の長さと表示領域の縦横比の値との組み合わせである。表示領域情報取得部１０４は、表示領域情報をどのように取得してもよい。表示領域情報取得部１０４は、例えば、リモートコントロール装置から送信される表示領域情報を受信して取得してもよいし、例えば、リモートコントロール装置から送信される表示領域の大きさを変更する指示に基づいて、予めメモリ等に格納されている複数の表示領域情報のうちの一つを取得してもよい。また、表示領域情報取得部１０４は、画像出力装置１００の電源終了時に、終了直前の表示領域情報を不揮発性のメモリ等に蓄積するようにし、この蓄積された表示領域情報を、画像出力装置１００の電源投入時に取得するようにしてもよい。また、表示情報取得部１０３が表示情報を取得するメディアの種類等を検出し、この種類に応じて、予め設定されている表示領域情報を選択的に取得するようにしてもよい。表示領域情報のデータ構造は問わない。表示領域情報取得部１０４は、通常、ＭＰＵやメモリ等から実現され得る。表示領域情報取得部１０４が表示情報を取得するための処理手順は、通常、ソフトウェアで実現され、当該ソフトウェアはＲＯＭ等の記録媒体に記録されている。但し、ハードウェア（専用回路）で実現しても良い。なお、例えば、表示領域の大きさが予め所定の大きさに設定されている場合には、表示領域情報取得部１０４は省略してもよい。
【００３３】
表示領域画像構成部１０５は、表示位置情報取得部１０２が取得した表示位置情報と、表示情報取得部１０３が取得した表示情報と、表示領域情報取得部１０４が取得した表示領域情報とに基づいて表示領域の画像を構成する。具体的には、表示領域画像構成部１０５は、表示位置情報が示す表示可能領域内の位置の、表示領域情報が示す大きさの表示領域内に、表示情報に基づく画像を表示するための画像情報、例えばビットマップデータを構成する。そして、構成したビットマップデータを、例えばＶＲＡＭ等に書き込む。表示領域画像構成部１０５は、表示領域情報が示す表示領域の大きさに応じて、表示される画像の解像度を変更する等の、画像情報に対して変更を行う処理を行ってもよい。また、画像がＭＰＥＧ等により符号化されている場合には、復号処理を行ってもよい。なお、表示領域画像構成部１０５は、画像情報を構成せずに、表示位置情報と、表示情報と、表示領域情報とを取得し、これらの情報を、後述する出力部１０７から出力させてもよい。表示領域画像構成部１０５は、通常、ＭＰＵやメモリ等から実現され得る。表示領域画像構成部１０５が、表示情報を取得するための処理手順は、通常、ソフトウェアで実現され、当該ソフトウェアはＲＯＭ等の記録媒体に記録されている。但し、ハードウェア（専用回路）で実現しても良い。
【００３４】
背景画像構成部１０６は、表示可能領域内の表示領域を除いた領域に表示する有意ではない画像である背景画像を構成する。具体的には、背景画像構成部１０６は、表示位置情報が示す表示可能領域内の位置の、表示領域情報が示す大きさの表示領域を除いた領域に、有意でない画像を表示するための画像情報、例えばビットマップデータを構成する。「有意ではない画像」とは、表示している内容に、特に、意味のない画像であり、具体的には、画像出力装置１００の操作等にも何ら関与せず、また、表示領域に表示される画像とは関連のない画像である。例えば、黒や白やグレー、ブルー等の単色の画像や、複数色の組み合わせによるパターン画像、複数色によるグラデーション画像、ランダムなノイズを有する画像等である。背景画像は、単色のブルーやグリーン等の目に優しい画像であることが好ましい。背景画像構成部１０６は、表示領域を除く領域に表示する有意ではない画像をどのように取得してもよい。例えば、メモリ等に格納されている単色のデータや、所定のパターンのデータを取得してこれを繰り返し、タイル状に配置することで、背景画像を構成してもよい。背景画像構成部１０６は、構成した背景画像を、例えばＶＲＡＭ等に書き込む。背景画像構成部１０６は、通常、ＭＰＵやメモリ等から実現され得る。背景画像構成部１０６が、表示情報を取得するための処理手順は、通常、ソフトウェアで実現され、当該ソフトウェアはＲＯＭ等の記録媒体に記録されている。但し、ハードウェア（専用回路）で実現しても良い。
【００３５】
出力部１０７は、表示領域画像構成部１０５が構成した表示領域の画像、及び背景画像構成部１０６が構成した背景画像を、ＶＲＡＭ等から読み出し、出力する。あるいは、出力部１０７は、表示領域画像構成部１０５が取得した表示位置情報と、表示情報と、表示領域情報とを、出力してもよい。出力部１０７は、ディスプレイ等の表示デバイスを含むと考えても含まないと考えても良い。表示デバイスは、例えば、プラズマディスプレイや、液晶ディスプレイ、プロジェクター等である。出力部は、表示デバイスのドライバーソフトまたは、表示デバイスのドライバーソフトと表示デバイス等で実現され得る。
【００３６】
タッチスクリーン２０１は、操作を行うための領域である操作領域を有し、操作領域上の操作した位置に関する情報である操作位置情報を出力し、操作領域内の操作した位置に、前記表示領域の位置を示す画像を表示する。タッチスクリーンとは、ディスプレイの表面を、接触を検知するための素子を配置した透明なスクリーンで覆ったもので、指や専用のペンで画面に触れることで、その透明なスクリーンに配置された素子から座標を得て、機器の操作を行なうことができるディスプレイである。ただし、画像が表示でき、タッチすることで、操作が行えるものであれば、タッチスクリーン２０１の構造は問わない。例えば、液晶パネル上にペンを利用する透明なタブレットを配置したものも、ここではタッチスクリーンとする。画面への接触の感知には、圧力の変化を感知する感圧式と、静電気による電気信号を感知する静電式等の方式がある。「操作を行うための領域」とは、具体的には、接触を検知するための素子を配置した領域である。「操作」とは、タッチスクリーン２０１に対してタッチすることである。ただし、タッチするアクションを認識できれば、実際にタッチスクリーンに指やペン等が接触するか否かは問わない。「操作した位置」とは、具体的には、タッチした位置である。また、操作位置情報は、例えば、タッチした位置の座標の情報である。また、タッチスクリーン２０１をいくつかの領域にあらかじめ分割しておき、タッチした位置を含む分割した領域を識別するための情報を操作位置情報として出力するようにしてもよい。タッチスクリーン２０１の操作領域上の位置は、例えば、画像出力装置１００の表示可能領域上の位置と対応関係を有している。そして、表示位置情報取得部１０２は、タッチスクリーン２０１から出力される操作位置情報に基づいて、タッチスクリーン２０１の操作領域に対して行われた操作の位置に対応した表示可能領域情報位置を指定する表示位置情報を取得する。このタッチスクリーン２０１の操作領域上の位置と、画像出力装置１００の表示可能領域上の位置との対応関係とは、例えば、タッチスクリーン２０１の操作領域の形状と画像出力装置１００の表示可能領域の形状とが相似の関係であれば、この相似を定義する関数に基づいて操作領域上の座標を座標変換した座標が、表示可能領域上の座標となるような対応関係である。また、この対応関係として、例えば、タッチスクリーン２０１の操作領域と画像出力装置１００の表示可能領域とを予め同数の領域に分割しておき、それぞれの領域同士を１対１で対応付ける対応関係であってもよい。この場合、タッチスクリーン２０１の１つの領域に対して操作が行われると、その操作された領域に対応付けられた画像出力装置１００の表示可能領域上の領域を指定する表示位置情報を表示位置情報取得部１０２が取得するようにする。また、この対応関係は、例えば、画像出力装置１００の表示可能領域が予め複数の領域に分割されており、タッチスクリーン２０１の操作領域上の位置を示す座標が、画像出力装置１００の表示可能領域の複数の領域のいずれかの領域に対応付けられるような対応関係であってもよい。また、これらの位置同士の対応関係は必ずしも１対１の対応関係でなくてもよい。例えば、タッチスクリーン２０１上の複数の操作した位置が、画像出力装置１００の表示可能領域の一つの位置に対応するような対応関係であってもよい。タッチスクリーン２０１は、操作領域内のタッチした位置に、画像出力装置１００の出力する表示領域の位置を示す画像を表示する。「表示領域の位置を示す画像」とは、表示領域がどこに表示されているかを示すことのできる画像であれば、どのような画像であってもよい。例えば、点であってもよいし、文字であってもよいし、矩形や、円形の枠や、この枠を塗りつぶした形状等であってもよい。また、予め表示領域のサムネイル画像を、メモリ等に格納しておいて、このサムネイル画像を、タッチスクリーン２０１の操作領域内のタッチした位置に、表示してもよい。ここで述べるサムネイル画像とは、表示領域に表示される画像の縮小画像のことであり、表示領域に表示される画像の解像度を低解像度化したものであってもよい。また表示領域に表示される画像が動画像である場合には、その動画像の一つのフレームの画像を縮小した画像であってもよい。また、アイコンであってもよい。このアイコンとしては、例えば、表示領域に表示される画像のジャンル等を象徴するアイコンであってもよい。なお、タッチスクリーン２０１の操作領域を、画像出力装置１００の表示可能領域の形状に対応した形状、例えば、縦方向を１／ｍ倍、横方向を１／ｎ倍とした形状とし、「表示領域の位置を示す画像」を、表示領域の縦方向を１／ｍ倍、横方向を１／ｎ倍した、表示領域に対応した大きさとしてもよい。このようにすることで、後述するように、タッチスクリーン２０１の操作領域に対して、「表示領域の位置を示す画像」がどのような位置に移動するかをみることにより、タッチスクリーン上において、表示領域の位置をどのように移動させられるかを直感的に、かつ正確に把握することが可能となる。なお、タッチスクリーン２０１の操作した位置に表示領域の画像を表示する処理としては、例えば、上述したような操作位置情報を取得し、この操作位置情報に対応するタッチスクリーンのスクリーン上の位置に、表示領域の位置を示す画像を表示させればよい。なお、タッチスクリーンにタッチすることにより、タッチした位置に所望の画像を表示したり、表示される画像を変化させたりする構成や、タッチスクリーンのタッチした位置の操作位置情報を出力する構成については、公知技術であるので、ここでは、詳細な説明は省略する。
【００３７】
送信部２０２は、タッチスクリーン２０１の出力する操作位置情報に基づいて表示位置指示情報を構成し、画像出力装置１００に送信する。例えば、送信部２０２は、操作位置情報を取得し、これを表示位置指示情報として、送信してもよい。ここでは、送信部２０２が、タッチスクリーン２０１が出力する操作位置情報を単に取得することも、表示位置指示情報を構成することであるとする。また、タッチスクリーン２０１の操作領域と、画像出力装置１００の表示可能領域との対応関係に応じて、操作位置情報を座標変換したり、操作位置情報に対応関係を示す関数による演算を行うことで、タッチスクリーン２０１の操作領域に対応した表示可能領域上の位置を示す情報を構成し、この構成した情報を表示位置指示情報として送信してもよい。すなわち、送信部２０２は、上述したような、タッチスクリーン２０１の操作領域上の位置と、画像出力装置１００の表示可能領域上の位置との対応関係を満たすように操作位置情報を変換して得られた表示位置指示情報を送信してもよい。このように、タッチスクリーン２０１の操作領域上の位置と、画像出力装置１００の表示可能領域上の位置とが対応関係を有するように設定することで、表示位置情報取得部１０２は、タッチスクリーン２０１の操作領域に対して行われた操作の位置に対応した表示可能領域上の位置を指定する表示位置情報を取得することができる。送信部２０２は、モデムやネットワーク等の送信を行うための送信デバイスを含んでもよく、あるいは含まなくてもよい。また、送信部２０２は、ハードウェアによって実現されてもよく、あるいは送信デバイスを駆動するドライバ等のソフトウェアによって実現されてもよい。送信部２０２は、ＬＡＮ等の通信手段、赤外線による通信、ブルートゥース（登録商標）等の近距離無線通信手段、或いは電子メール送信手段等により実現される。また、送信部２０２は、表示位置指示情報を構成するためのＭＰＵやメモリ等を有していてもよい。送信部２０２が、表示位置指示情報を構成するための処理手順は、通常、ソフトウェアで実現され、当該ソフトウェアはＲＯＭ等の記録媒体に記録されている。但し、ハードウェア（専用回路）で実現しても良い。
【００３８】
次に、画像出力装置１００の動作について図２のフローチャートを用いて説明する。
【００３９】
（ステップＳ２０１）表示領域情報取得部１０４は、表示領域情報を取得する。表示領域情報取得部１０４は、例えば、前回の画像出力装置１００の電源オフや、画像出力の終了の直前等に、メモリ等に蓄積された表示領域情報を取得してもよいし、メモリ等に初期値として設定されている表示領域情報を取得してもよい。また、リモートコントロール装置２００等から受け付けた表示領域の大きさを設定する指示に基づいて、メモリ等に格納されている表示領域情報のうちの一つを選択的に取得してもよい。表示領域情報取得部１０４が表示領域情報を取得するトリガーは、どのようなものであってもよい。例えば、画像出力装置１００に電源がオンされたことをトリガーとしてもよいし、画像を表示する指示をリモートコントロール装置２００等から受け付けたことをトリガーとしてもよい。
【００４０】
（ステップＳ２０２）表示位置情報取得部１０２は、表示位置情報を取得する。ここで取得する表示位置情報は、例えば、前回の画像出力装置１００の電源オフや、画像出力の終了の直前等に、メモリ等に蓄積された表示位置情報や、メモリ等に初期値として設定されている表示位置情報である。なお、ステップＳ２０１と、ステップＳ２０２の処理順序は問わない。
【００４１】
（ステップＳ２０３）表示情報取得部１０３は、表示情報を取得する。表示情報取得部１０３が取得する表示情報は、例えば、チューナー等が取得するテレビ番組や、光ディスクドライブが読み出す映画等のコンテンツの情報である。
【００４２】
（ステップＳ２０４）表示領域画像構成部１０５は、表示領域情報と、表示位置情報と、表示情報とを取得して、表示領域に表示する画像を構成する。
【００４３】
（ステップＳ２０５）背景画像構成部１０６は、表示領域情報と、表示位置情報とを取得して、表示可能領域の表示領域を除く領域に表示する背景画像を構成する。なお、ステップＳ２０４とステップＳ２０５との順序は問わない。また、表示領域を除く領域に、画像を全く表示しない場合には、背景画像構成部１０６を省略し、このステップＳ２０５も省略してもよい。
【００４４】
（ステップＳ２０６）出力部１０７は、ステップＳ２０４およびステップＳ２０５において構成した画像を出力する。
【００４５】
（ステップＳ２０７）表示位置指示情報受付部１０１は、表示位置指示情報を受け付けたか否かを判定する。受け付けた場合、ステップＳ２０８へ進み、受け付けていない場合、ステップＳ２０３に戻る。
【００４６】
（ステップＳ２０８）表示位置情報取得部１０２は、ステップＳ２０７において取得した表示位置指示情報に基づいて、表示位置情報を取得する。
【００４７】
（ステップＳ２０９）表示位置情報取得部１０２は、ステップＳ２０８において取得した表示位置情報により、表示位置情報を更新する。そして、ステップＳ２０３に戻る。
【００４８】
なお、図２のフローチャートにおいて、電源オフや処理終了の割り込みにより処理は終了する。
【００４９】
なお、図２のフローチャートにおいて、表示領域情報を変更する処理を行うようにしてもよい。例えば、表示領域の大きさを変更するための指示を受け付ける受付部を設け、この受付部が、ステップＳ２０６の後に、表示領域の大きさを変更するための指示を受け付けたか否かを判定する処理を行い、受け付けていない場合、ステップＳ２０７へ進み、受け付けた場合、この指示に応じて取得した表示領域情報により、表示領域情報を更新し、ステップＳ２０３に戻るようにしてもよい。なお、表示領域の大きさの変更は、表示領域の左上等の一つの角の位置を固定して行ってもよいし、表示領域の中心の位置を固定して行ってもよい。
【００５０】
次に、リモートコントロール装置２００の動作について、図３のフローチャートを用いて説明する。
【００５１】
（ステップＳ３０１）タッチスクリーン２０１は、画像出力装置１００の表示領域の位置を示す画像を表示する。ここでは、表示領域の位置を示す画像は、タッチスクリーン２０１上の予め設定されている位置に表示される。この位置を示す情報は、例えばメモリ等に予め設定しておく。あるいは、リモートコントロール装置２００の電源オフや、操作を停止する直前に表示されていた位置に、表示領域の位置を示す画像を表示するようにしてもよい。このリモートコントロール装置２００の電源オフや、操作を停止する直前に表示されていた位置の情報は、メモリ等に蓄積するようにし、この位置の情報をタッチスクリーンに表示領域の位置を示す画像を表示する際に取得するようにする。タッチスクリーン２０１が表示領域の位置を示す画像を表示するためのトリガーは、どのようなものであってもよい。例えば、リモートコントロール装置２００に電源がオンされたことをトリガーとしてもよいし、タッチスクリーン２０１にタッチされたことをトリガーとしてもよい。
【００５２】
（ステップＳ３０２）タッチスクリーン２０１は、操作を受け付けたか否かを判定する。この操作とは、タッチスクリーンへのタッチである。操作を受け付けた場合、ステップＳ３０３へ進み、受け付けていない場合、ステップＳ３０２へ戻る。
【００５３】
（ステップＳ３０３）タッチスクリーン２０１は、操作した位置に関する情報である操作位置情報を取得する。
【００５４】
（ステップＳ３０４）タッチスクリーン２０１は、ステップＳ３０３において取得した操作位置情報に対応する位置に、表示領域の位置を示す画像を表示する。
【００５５】
（ステップＳ３０５）タッチスクリーン２０１は、ステップＳ３０３において取得した操作位置情報を送信部２０２に渡す。
【００５６】
（ステップＳ３０６）送信部２０２は、操作位置情報に基づいて表示位置指示情報を構成する。なお、ここでは、取得した操作位置情報をそのまま、表示位置指示情報とすることも、表示位置指示情報を構成することであるとする。
【００５７】
（ステップＳ３０７）送信部２０２は、ステップＳ３０６において取得した表示位置指示情報を送信する。そして、ステップＳ３０２へ戻る。
【００５８】
なお、図３のフローチャートにおいて、電源オフや処理終了の割り込みにより処理は終了する。
【００５９】
なお、ステップＳ３０４の処理は、ステップＳ３０５から、ステップＳ３０７までのいずれの処理の後の処理として実行してもよい。
【００６０】
以下、本実施の形態における画像出力システムの具体的な動作について説明する。画像出力装置の概念図は図４である。ここでは、画像出力装置１００がディスプレイ１１０の対角の長さが、例えば、６０インチ以上のテレビであるとする。また、リモートコントロール装置２００は、タッチスクリーン２０１に操作領域２１０を備えている。この操作領域２１０は、ディスプレイ１１０の縦方向の長さを１／ｎ倍、横方向の長さを１／ｍ倍した形状を有しているものとする。ここでは、操作領域２１０とディスプレイ１１０の左上隅の座標をいずれも、（０、０）とし、操作領域２１０の座標を（ｘ、ｙ）、この座標に対応するディスプレイ１１０上の座標を（Ｘ、Ｙ）とし、操作領域２１０の座標と、これに対応するディスプレイ１１０上の座標とが、（Ｘ、Ｙ）＝（ｎ×ｘ、ｍ×ｙ）の関係を有するものとする。ここでは、ディスプレイ１１０の左下隅の座標が、（１０２４、８５２）、タッチスクリーン２０１の左下隅の座標が、（２５６、２１３）、ｎおよびｍの値がいずれも「４」であるとする。また、座標値は、表示される画像のピクセル値に対応するものとする。すなわち、ディスプレイ１１０には、全画面表示とした場合、横が１０２４ピクセルで、縦が８５２ピクセルの画像が表示されるものとする。また、リモートコントロール装置２００は、例えば、赤外線通信により、テレビ１００に対し、表示位置指示情報を出力するものとする。
【００６１】
まず、ユーザ１０００が、リモートコントロール装置２００をもって、ディスプレイ１１０の右端近くに座っており、ユーザがテレビ番組を視聴するために、リモートコントロール装置２００を操作して、画像出力装置１００の電源をオンにすると、画像出力装置１００の表示領域情報取得部１０４は、前回に画像出力装置１００を電源オフする直前にメモリ等に蓄積された表示領域情報を取得する。ここでは表示領域情報は、表示領域１２０の横のピクセル数×縦のピクセル数で表されており、この取得された表示領域情報は、４００×３００ピクセルであるとする。また、表示位置情報取得部１０２は、前回に画像出力装置１００を電源オフする直前にメモリ等に蓄積された表示位置情報を取得する。ここでは、表示位置情報は、表示領域１２０の中心の座標であり、取得された表示位置情報は、（３００、２００）であるとする。また、表示情報取得部１０３は、前回、画像出力装置１００を電源オフする際に選択されていたチャンネルの表示情報をチューナーから取得する。ここでは、１２チャンネルの表示情報が、例えば毎秒３０フレームで取得されているものとする。
【００６２】
図５は、表示領域１２０に表示する画像を管理する表示画像管理表である。表示画像管理表は、「表示領域ＩＤ」、「表示位置情報」、「表示領域情報」、および「表示情報」という属性を有している。「表示領域ＩＤ」は、表示領域を管理するための識別情報である。「表示位置情報」は、表示位置情報、ここでは表示領域の中心位置の座標である。「表示領域情報」は、表示領域情報の横方向、および縦方向の長さである。「表示情報」は表示領域に表示する表示情報であり、ここでは、表示情報が送信されるテレビのチャンネル番号を示している。「表示領域ＩＤ」、「表示位置情報」、「表示領域情報」、および「表示情報」のデータ構造は問わない。
【００６３】
表示位置情報取得部１０２、表示情報取得部１０３、および表示領域情報取得部１０４で取得された情報は、図５に示す表示画像管理表により管理される。表示領域画像構成部１０５は、図５に示す表示画像管理表において管理されている情報を取得して、表示領域に表示する画像を構成する。
【００６４】
図６は、表示領域１２０を除いた領域に表示される背景画像を管理する背景画像管理表である。背景画像管理表は、「背景画像」という属性を有している。「背景画像」は背景画像に設定される画像の属性を示しており、ここでは、背景画像が構成される領域が、ＲＧＢ＝”００００００”すなわち、黒色に設定されていることを示している。なお、「背景画像」として、このようなＲＧＢ値を指定する代わりに、背景画像としてタイル状に表示する画像ファイルを設定してもよい。「背景画像」のデータ構造は問わない。
【００６５】
背景画像構成部１０６は、図５に示す表示画像管理表において管理されている表示位置情報と、表示領域情報と、図６に示す背景画像管理表において管理されている背景画像の情報とを取得し、背景画像を構成する。
【００６６】
そして、出力部１０７が、表示領域画像構成部１０５が構成した表示領域に表示する画像と、背景画像構成部１０６が構成した背景画像とをディスプレイ１１０に表示する。
【００６７】
図７は、ディスプレイ１１０に表示された表示領域１２０の画像および背景画像１２１を示す図である。ここでは、背景画像は便宜上、斜線で示しているが、実際には黒色で表示されているものとする。
【００６８】
また、リモートコントロール装置２００のタッチスクリーン２０１も、前回、画像出力装置１００の電源をオフとする操作をした直後にメモリ等に蓄積された、表示領域の位置を示す画像の位置を示す情報と、表示領域の位置を示す画像、ここではサムネイル画像とから、表示領域の位置を示す画像２２０を表示する。このサムネイル画像の大きさは、表示領域情報である４００×３００ピクセルを１／ｎ倍および１／ｍ倍、すなわち１／４倍した大きさ、すなわち１００×７５ピクセルである。また、その表示する位置は、表示領域１２０の表示位置情報である（３００、２００）を１／ｎ倍および１／ｍ倍、すなわち１／４倍した（７５、５０）である。すなわち、ここでは、画像出力装置１００の表示可能領域であるディスプレイ１１０と、このディスプレイ１１０に表示されている表示領域１２０とを、１／４倍したものに相当するものが、タッチスクリーン２０１の操作領域２１０と、操作領域２１０に表示される表示領域の位置を示す画像２２０となっている。
【００６９】
図８は、タッチスクリーン２０１に表示される画像を管理するためのスクリーン画像管理表である。スクリーン画像管理表は、「画像ＩＤ」、「表示領域ＩＤ」、「位置情報」、および「表示画像サイズ」という属性を有している。「画像ＩＤ」は、表示領域の位置を示す画像を管理するための情報である。「表示領域ＩＤ」は、表示領域の位置を示す画像に対応する表示領域を指定するための情報であり、図５に示す「表示領域ＩＤ」に相当する。「位置情報」は、表示領域の位置を示す画像の表示位置を示し、ここではタッチスクリーン２０１上の座標である。「表示画像サイズ」は、表示領域の位置を示す画像の、横方向および縦方向の長さである。「画像ＩＤ」、「表示領域ＩＤ」、「位置情報」、および「表示画像サイズ」のデータ構造は問わない。
【００７０】
図９は、タッチスクリーン２０１上に表示された表示領域２１０の位置を示す画像２２０を示す図である。
【００７１】
ここで、ユーザ１０００が、ディスプレイ１１０の右端近くに座っており、表示された表示領域１２０は、図９に示すように、ディスプレイの左上に表示されるため、画像が見にくいために、リモートコントロール装置２００のタッチスクリーンの左下の一部を指でタッチしたとする。タッチスクリーン２０１は、この指によるタッチを検出し、タッチされた位置の座標を取得する。ここでは、タッチした位置の座標として、（ｘ、ｙ）＝（１８０、１５０）を取得したとする。タッチスクリーン２０１は、この取得した座標に基づいて、スクリーン画像管理表の「位置情報」を図１０に示すように更新する。そして、この更新したスクリーン画像管理表の情報を取得して、図１１に示すように、表示領域の位置を示す画像２２０を表示する。なお、図における枠２２１は、直前に表示されていた表示領域の位置を示す画像２２０の表示されていた位置を示す。
【００７２】
タッチスクリーン２０１は、タッチされた位置の座標を、送信部２０２に対して出力する。送信部２０２は、タッチされた位置の座標と、図１０に示した「表示領域ＩＤ」の値「０１」とを有する表示位置指示情報を構成し、画像出力装置１００に送信する。
【００７３】
画像出力装置１００の表示位置指示情報受付部１０１が、リモートコントロール装置２００からの表示位置指示情報を受け付けると、表示位置情報取得部１０２は、表示位置指示情報受付部１０１が受け付けた表示位置指示情報に基づいて表示位置情報を取得する。そして、表示位置指示情報に含まれる、タッチされた位置の座標、（ｘ、ｙ）＝（１８０、１５０）を取得し、この座標のｘ値およびｙ値を、それぞれ、ｎ倍およびｍ倍した座標（Ｘ、Ｙ）を取得する。ここでは、ｎおよびｍが「４」であるので、座標（Ｘ、Ｙ）＝（７２０、６００）を表示位置情報として取得する。また、表示位置指示情報には「表示領域ＩＤ」の値「０１」が含まれていることから、表示位置情報取得部１０２は、この表示位置指示情報が、「表示領域ＩＤ」が「０１」の表示領域に対する表示位置を指示する情報であると判断する。そして、表示位置情報取得部１０２は、表示画像管理表の「表示位置情報」を図１２に示すように更新する。そして、この更新した表示画像管理表に基づいて、図１３に示すように、表示領域１２０の位置を移動させた画像がディスプレイ１１０に表示される。なお、図１３において、枠１２２は、移動前の表示領域が表示されていた位置を示す。
【００７４】
以上、本実施の形態によれば、ユーザが、表示可能領域内の一部の領域に表示される画像の表示領域を、移動させることができるため、ユーザの見やすい位置に画像を移動させることができ、画面の一部に表示される画像が見やすい画像出力装置を提供できる効果がある。
【００７５】
また、背景画像として、操作等と関係のない、有意ではない画像を表示することにより、ユーザが映像を見る際に、不要な画像が視界に入らず、映像に集中することが可能となる。また、背景画像を表示する処理を、特定の色で表示したり、パターン画像をタイル状に配置する等の最小限の処理とすることができるため、表示領域を動かす際に背景画像の描画が間に合わず、表示に乱れが生じたりする問題を最小限に抑えることができ、視聴時の不具合をなくすことができる。
【００７６】
また、リモートコントロール装置２００のタッチスクリーン２０１に表示される表示領域を示す画像２２０と、画像出力装置１００が出力する表示領域１２０とが、タッチスクリーン２０１の操作に応じて、連動して移動するため、ユーザはディスプレイを見ずに、タッチスクリーンを見ながら、表示領域１２０の位置を正確に移動させることができる。このため、ディスプレイに反映される表示領域１２０の動きを確認しながら手元のリモートコントロール装置を操作する必要がないため、ユーザは、表示領域を移動させる操作に習熟する必要がなくなり、操作が容易となる効果がある。また、タッチスクリーン２０１を見ることで、表示領域１２０の、表示可能領域内における相対的な表示位置を知ることができる。
【００７７】
また、タッチスクリーン２０１に表示される表示領域１２０を示す画像２２０をサムネイル画像とすることで、タッチスクリーン２０１において、表示領域を識別しやすくなり、また、表示領域の位置を確認しやすくすることができる。
【００７８】
また、タッチスクリーン２０１に、表示領域１２０の位置を示す画像として、表示領域１２０に対応した大きさの画像２２０を表示するようにしたので、タッチスクリーン２０１において、表示領域の配置を正確に把握することが可能となる。
【００７９】
なお、本実施の形態においては、２つ以上の表示領域を表示可能領域内に表示し、これらの位置をそれぞれ個別に移動させるようにしてもよい。例えば、図５等に示した表示画像管理表に、新たな表示領域に画像を表示するためのレコードを追加するようにすることで、各表示領域の表示位置を管理することが可能である。このように表示することで、表示可能領域内の自由な位置に、異なる画像を表示することが可能となる。これにより、例えば、複数の人間が、同じディスプレイ上で、それぞれが観たい番組を視聴することが可能となる。
【００８０】
すなわち、この画像出力装置は、上述した画像出力装置において、表示位置指示情報受付部１０１は、２つ以上の表示領域の表示位置指示情報を受け付け、表示位置情報取得部１０２は、２つ以上の表示領域の表示位置を示す情報である表示位置情報を取得し、表示情報取得部１０３は、２つ以上の表示領域に表示する映像の情報である表示情報を取得し、表示領域情報取得部１０４は、２つ以上の表示領域の大きさに関する情報である表示領域情報を取得し、表示領域画像構成部１０５は、２つ以上の表示領域の画像を構成し、出力部１０７は、２つ以上の表示領域の画像を出力するようにした画像出力装置である。
【００８１】
さらに、２つ以上の表示領域を表示する際に、表示領域同士が重ならないようにしてもよい。このようにすることで、一方の画像を移動する際に、移動中の画像で他の画像の一部を隠してしまい、他の画像の視聴を妨げるという問題を解消することができる。
【００８２】
すなわち、この画像出力装置は、上述した画像出力装置において、表示領域画像構成部１０５は、表示位置指示情報と、表示領域情報とに基づいて、２つ以上の表示領域が重ならないように、画像を構成するようにした画像出力装置である。
【００８３】
また、本実施の形態においては、タッチスクリーンを有するリモートコントロール装置２００を用いた場合について説明したが、十字キーを持つリモートコントロール装置や、カーソルキーを持つリモートコントロール装置を利用しても、画像を移動させることができる点においては、同様であることは言うまでもない。
【００８４】
なお、上記具体例において、予め、表示領域１２０の大きさを所定の大きさに設定しておくとともに、グリッド等で、表示可能領域をこの表示領域１２０の大きさの複数の領域に分割しておき、表示領域１２０を、表示可能領域内において、このグリッドにあわせて移動させるようにしてもよい。図１４は、ディスプレイ１１０に表示された表示領域１２０の表示例を示す図である。図１４に示すように、ディスプレイ１１０すなわち表示可能領域は、グリッド１４００により複数の領域１４０１〜１４１６に分割されている。表示領域１２０はこのディスプレイにより区切られた領域１４０１〜１４１６のいずれかの、ユーザにより指定された領域に、グリッド１４００に沿って表示される。このような構成とすることで、ユーザは移動先となる領域を指定するだけで、表示領域を移動させることが可能となり、表示領域を移動させる際に、移動先の位置を微調整する必要がなくなり、操作が簡単になる。特に、複数の表示領域を表示させている場合に、表示領域同士を整列することが容易となり、表示領域が表示可能領域内において雑然と並んで視聴の妨げとなることを防ぐことができる。なお、表示領域の大きさを可変として、表示領域の大きさに応じてグリッドのサイズが変更されるようにしてもよい。またグリッドのサイズの縦横比は、通常のテレビ等に表示領域の縦横比と同じ９：１６や、３：４とすることが好適である。なお、ここでは、グリッド１４００を説明上表示しているが、実際には表示しないようにしてもよいことは言うまでもない。
【００８５】
また、この場合、リモートコントロール装置２００においても、表示領域を示す画像２２０の大きさを操作領域の大きさに対応した大きさに設定しておくとともに、タッチスクリーン２０１の操作領域２１０を、グリッド等で、表示領域を示す画像２２０の大きさの複数の領域に分割しておき、操作位置情報として、この分割された操作領域のうちの、操作された位置を含む領域を指定する情報を出力するようにし、表示領域を示す画像を、操作領域内において、このグリッドにあわせて移動させるようにしてもよい。図１５は、操作領域２１０に表示された操作領域２２０の表示例を示す図である。図１５に示すように、操作領域２１０は、グリッド１５００により複数の領域１５０１〜１５１６に分割されている。タッチスクリーン２０１は、操作領域１２０の、このディスプレイにより区切られた領域１５０１〜１５１６のいずれかの、操作された領域に対応した操作位置情報を出力し、さらに、操作された領域にグリッド１５００に沿って表示領域を示す画像２２０が表示される。そして、図１４に示した表示可能領域の複数の領域１４０１〜１４１６が、それぞれ操作領域２１０の複数の領域１５０１〜１５１６に１対１で対応付けておくことで、例えば、操作領域２１０の領域１５１５を操作、すなわちタッチすることで、タッチスクリーン２０１においては、表示領域を示す画像２２０は、領域１５１５に表示されるとともに、図１６に示すように、ディスプレイ１１０の領域１４１５に表示領域１２０が移動することとなる。リモートコントロール装置２００をこのような構成とすることにより、タッチスクリーン２０１上における操作に熟練していないユーザでも容易に操作を行うことが可能となる。なお、ここではグリッド１５００を表示しているが、表示しないようにしてもよい。
【００８６】
また、表示領域１２０の大きさをユーザが変更できる場合において、表示領域の大きさは、グリッド等に沿って変更されるようにしてもよい。例えば、図１７に示すように、予め、表示領域１２０の大きさの最小値を設定しておくとともに、この最小値を一つの格子の大きさとしたグリッド１７００を設け、表示領域１２０を、表示可能領域内において、このグリッドにあわせて縦横比を保ったまま、大きさが変更されるようにしてもよい。すなわち、図１７においては、表示領域１２０は、表示可能領域の全面に表示しない場合においては、最も大きさの小さい表示領域１７０１から、最も大きさの大きい表示領域１７０３までの、３つの大きさのいずれかに変更することが可能である。なお、グリッド１７００のサイズの縦横比は、通常のテレビ等に表示領域の縦横比と同じ９：１６や、３：４とすることが好適である。なお、ここでは、グリッド１７００を説明上表示しているが、実際には表示しないようにしてもよいことは言うまでもない。
【００８７】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における画像出力装置を実現するソフトウェアは、以下のようなプログラムである。つまり、このプログラムは、コンピュータに、画像を表示可能な表示可能領域内における画像を表示する領域である表示領域の表示位置を指示するための情報である表示位置指示情報を受け付ける表示位置指示情報受付ステップと、前記表示位置指示情報に基づいて表示領域の表示位置を示す情報である表示位置情報を取得する表示位置情報取得ステップと、前記表示領域に表示する画像の情報である表示情報を取得する表示情報取得ステップと、前記表示位置情報と、表示情報とに基づいて表示領域の画像を構成する表示領域画像構成ステップと、前記表示領域の画像を出力する出力ステップとを実行させるためのプログラムである。
【００８８】
また、前記プログラムにおいて、コンピュータに、前記表示領域の大きさに関する情報である表示領域情報を取得する表示領域情報取得ステップをさらに実行させ、前記表示領域画像構成ステップは、前記表示位置情報と、表示情報と、表示領域情報とに基づいて表示領域の画像を構成するプログラムである。
【００８９】
また、前記プログラムにおいて、コンピュータに、前記表示可能領域内の前記表示領域を除いた領域に表示する有意ではない画像である背景画像を構成する背景画像構成ステップをさらに実行させ、前記出力ステップは、前記表示領域の画像と前記背景画像とを出力するプログラムである。
【００９０】
また、前記プログラムにおいて、前記表示位置指示情報受付ステップは、２つ以上の表示領域の表示位置指示情報を受け付け、前記表示情報取得ステップは、２つ以上の表示領域に表示する映像の情報である表示情報を取得し、前記表示領域情報取得ステップは、２つ以上の表示領域の大きさに関する情報である表示領域情報を取得し、前記表示領域画像構成ステップは、２つ以上の表示領域の画像を構成し、前記出力ステップは、２つ以上の表示領域の画像を出力するプログラムである。
【００９１】
また、前記プログラムにおいて、前記表示領域画像構成ステップは、前記表示位置指示情報と、表示領域情報とに基づいて、２つ以上の表示領域が重ならないように、画像を構成するプログラムである。
【００９２】
さらに、本実施の形態におけるリモートコントロール装置を実現するソフトウェアは、以下のようなプログラムである。つまり、このプログラムは、タッチスクリーンを備えたリモートコントロール装置に処理を実行させるためのプログラムであって、コンピュータに、前記タッチスクリーンの操作を行うための領域である操作領域上の操作した位置に関する情報である操作位置情報を出力し、前記操作領域内の操作した位置に、前記表示領域の位置を示す画像を表示するタッチスクリーンステップと、前記タッチスクリーンステップにより出力する操作位置情報に基づいて、画像を表示可能な表示可能領域内における画像を表示する領域である表示領域の表示位置を指示するための情報である表示位置指示情報を送信する送信ステップとを実行させるためのプログラムである。
【００９３】
また、前記プログラムにおいて、前記タッチスクリーンの操作領域上の位置は、前記表示可能領域上の位置と対応関係を有しており、前記表示位置情報取得ステップは、前記タッチスクリーンの操作領域に対して行われた操作の位置に対応した表示可能領域上の位置を指定する表示位置情報を取得するプログラムである。
【００９４】
また、前記プログラムにおいて、前記タッチスクリーンステップは、前記表示領域の位置を示す画像として、前記表示領域に表示される画像に関するサムネイル画像を表示するプログラムである。
【００９５】
また、前記プログラムにおいて、前記タッチスクリーンステップは、前記表示領域の位置を示す画像として、前記表示領域に対応した大きさの画像を表示するプログラムである。
【００９６】
また、上記各実施の形態において、各処理（各機能）は、単一の装置（システム）によって集中処理されることによって実現されてもよく、あるいは、複数の装置によって分散処理されることによって実現されてもよい。
【００９７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【００９８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００９９】
また、このプログラムを実行するコンピュータは、単数であってもよく、複数であってもよい。すなわち、集中処理を行ってもよく、あるいは分散処理を行ってもよい。
【０１００】
本発明は、以上の実施の形態に限定されることなく、種々の変更が可能であり、それらも本発明の範囲内に包含されるものであることは言うまでもない。
【産業上の利用可能性】
【０１０１】
以上のように、本発明にかかる画像出力装置等は、ディスプレイの一部の領域のみに画像を表示する画像出力装置等に適しており、特に、大画面のディスプレイに画像を表示するための画像出力装置等として有用である。
【図面の簡単な説明】
【０１０２】
【図１】実施の形態における画像出力システムのブロック図
【図２】同画像出力装置の動作について説明するフローチャート
【図３】同リモートコントロール装置の動作について説明するフローチャート
【図４】同概念図
【図５】同表示画像管理表を示す図
【図６】同背景画像管理表を示す図
【図７】同表示例を示す図
【図８】同スクリーン画像管理表を示す図
【図９】同表示例を示す図
【図１０】同スクリーン画像管理表を示す図
【図１１】同表示例を示す図
【図１２】同表示画像管理表を示す図
【図１３】同表示例を示す図
【図１４】同表示例を示す図
【図１５】同表示例を示す図
【図１６】同表示例を示す図
【図１７】同表示例を示す図
【符号の説明】
【０１０３】
１００  画像出力装置
１０１  表示位置指示情報受付部
１０２  表示位置情報取得部
１０３  表示情報取得部
１０４  表示領域情報取得部
１０５  表示領域画像構成部
１０６  背景画像構成部
１０７  出力部
２００  リモートコントロール装置
２０１  タッチスクリーン
２０２  送信部
【図１】
2006330027.tif 000003
【図２】
2006330027.tif 000004
【図３】
2006330027.tif 000005
【図４】
2006330027.tif 000006
【図５】
2006330027.tif 000007
【図６】
2006330027.tif 000008
【図７】
2006330027.tif 000009
【図８】
2006330027.tif 000010
【図９】
2006330027.tif 000011
【図１０】
2006330027.tif 000012
【図１１】
2006330027.tif 000013
【図１２】
2006330027.tif 000014
【図１３】
2006330027.tif 000015
【図１４】
2006330027.tif 000016
【図１５】
2006330027.tif 000017
【図１６】
2006330027.tif 000018
【図１７】
2006330027.tif 000019